(57)【要約】【課題】装着者の頭部にフィットさせることができると共に、鼻パッドの有無に関わらず眼鏡全体を支持することができる頬骨弓支持モダン及びそれを備える眼鏡を提供すること。【解決手段】本発明は、眼鏡のテンプル部Ｔに取り付けられた頬骨弓支持モダン１０であって、テンプル部Ｔが挿入された中空部１ｃを有する本体部１と、該本体部１から上方又は下方に分岐して後方に延びる頭支持部２と、本体部２から下方に延びるアーム部５１と、該アーム部５１の先端から前方又は後方に延びる当接部５２と、を備え、アーム部５１が弾性体からなり、装着者が眼鏡を装着した状態で、当接部５２が該装着者の頬骨弓に支持されるようになっている頬骨弓支持モダン１０である。【選択図】図１
2019207294.tif 000002
【特許請求の範囲】
【請求項１】
眼鏡のテンプル部に取り付けられた頬骨弓支持モダンであって、
前記テンプル部が挿入された中空部を有する本体部と、
該本体部から上方又は下方に分岐して後方に延びる頭支持部と、
前記本体部から下方に延びるアーム部と、
該アーム部の先端から前方又は後方に延びる当接部と、
を備え、
前記アーム部が弾性体からなり、
装着者が前記眼鏡を装着した状態で、前記当接部が該装着者の頬骨弓に支持されるようになっている頬骨弓支持モダン。
【請求項２】
前記本体部の後部及び前記頭支持部が、前記装着者の頭部に沿うように内側に向けて湾曲している請求項１記載の頬骨弓支持モダン。
【請求項３】
前記本体部の前部を水平に配置した状態で、前記当接部の前記アーム部に連結されていない非連結端側が、前記アーム部に連結されている連結端側よりも側面視で下側となるように傾斜している請求項１又は２に記載の頬骨弓支持モダン。
【請求項４】
前記本体部の前部を水平に配置した状態で、前記本体部の後部及び前記頭支持部が側面視で斜め下方に延びている請求項１〜３のいずれか１項に記載の頬骨弓支持モダン。
【請求項５】
前記アーム部が、前記本体部の前部から内側の斜め下方に向けて取り付けられ、且つ、外側に向けて湾曲しており、
該アーム部の一部が、前記頬骨弓の上方の側頭部に当接されるようになっている請求項１〜４のいずれか１項に記載の頬骨弓支持モダン。
【請求項６】
前記当接部には、樹脂キャップが圧入により挿嵌されている請求項１〜５のいずれか１項に記載の頬骨弓支持モダン。
【請求項７】
前記樹脂キャップが斜切部と円筒部とからなる斜切円筒状であり、
前記円筒部に対して、前記斜切部が最大母線側に屈曲しており、
前記斜切部及び前記円筒部に連通する貫通孔が直線状となっている請求項６記載の頬骨弓支持モダン。
【請求項８】
一対のレンズを有するフロント部と、
該フロント部の両側に、丁番を介して取り付けられたテンプル部と、
該テンプル部に取り付けられた請求項１〜７のいずれか１項に記載の頬骨弓支持モダンと、
を備える眼鏡。
【発明の詳細な説明】
【技術分野】
【０００１】
本発明は、頬骨弓支持モダン及びそれを備える眼鏡に関し、更に詳しくは、鼻パッドの有無に関わらず眼鏡全体を支持することができる頬骨弓支持モダン及びそれを備える眼鏡に関する。
【背景技術】
【０００２】
眼鏡は一般に、一対のレンズを有するフロント部と、該フロント部の両側に、丁番を介して取り付けられたテンプル部と、該テンプル部に取り付けられたモダン部とを備えている。
そして、その眼鏡を装着者が装着すると、フロント部に設けられた鼻パッドが装着者の鼻に当接され、モダン部が装着者の頭部を挟持すると共に装着者の耳に引っ掛けられることにより、当該眼鏡が支持されるようになっている。
【０００３】
ところで、眼鏡は、フロント部の重量が大きいため、眼鏡を装着する場合、モダン部よりも鼻パッドにかかる重量負荷が大きくなる。
そうすると、装着者の鼻には、鼻パッドの跡が付いたり、場合によっては、鼻パッドとの当接部分が炎症を引き起こす恐れがある。
【０００４】
それに対し、鼻パッドへの負荷を軽減するために、モダン部が装着者の頭部をしっかり把持するように設計された眼鏡が開発されている。
例えば、フロント部と該フロント部に取り付けられたテンプル本体部とを備え、該テンプル本体部に補助テンプル片が取り付けられており、テンプル本体部と補助テンプル片とにより頬骨と後頭部と耳部に支持される鼻パッド無し眼鏡が知られている（例えば、特許文献１参照）。
また、フロント部と該フロント部に取り付けられたテンプル本体部とを備え、該テンプル本体部にテンプルパット体が脱着自在に取り付けられており、該テンプルパット体とテンプル本体部の耳掛け部（モダン部）とにより、こめかみ部と耳部に支持される鼻パッド無し眼鏡が知られている（例えば、特許文献２参照）。
また、左右一対のレンズを有するフロント部と、該フロント部の両端から後方に延びるサイド部材とを備えた眼鏡であって、サイド部材が、テンプル部と、該テンプル部に取り付けられたモダン部とからなり、サイド部材には、下方に延びる支持部が設けられており、該支持部が、使用者の側顔部に当接される当接部と、該当接部とサイド部材とを連結する連結部とを有し、連結部が水平外側方向に変形する形状弾性体である眼鏡が知られている（例えば、特許文献３参照）。
【先行技術文献】
【特許文献】
【０００５】
【特許文献１】特開２０１５−３８６０８号公報
【特許文献２】特開２０１６−８０９９２号公報
【特許文献３】登録実用新案第３１９９８３２号公報
【発明の概要】
【発明が解決しようとする課題】
【０００６】
しかしながら、上記特許文献１記載の鼻パッド無し眼鏡においては、補助テンプル片が頬骨に支持されるようになっているが、頭部の形状には個人差があるため、補助テンプル片が頬骨に支持されない場合がある。
また、上記特許文献２記載の鼻パッド無し眼鏡においては、テンプルパット体がこめかみ部と耳部に支持されるようになっているが、頭部の形状には個人差があるため、テンプルパット体がこめかみ部及び耳部に支持されない場合がある。
また、上記特許文献３の眼鏡においては、当接部が使用者の側顔部に当接されるようになっているが、眼鏡の重量を負担するには不十分であり、眼鏡がずれ易いという欠点がある。
これらの場合、頭部におけるモダン部のフィット感が極めて悪くなり、その結果、眼鏡がずれ易くなったり、極端な場合は頭痛が生じる恐れがある。
【０００７】
本発明は上記事情に鑑みてなされたものであり、装着者の頭部に的確にフィットさせることができると共に、鼻パッドの有無に関わらず眼鏡全体を支持することができる頬骨弓支持モダン及びそれを備える眼鏡を提供することを目的とする。
【課題を解決するための手段】
【０００８】
本発明者は、上記課題を解決するため鋭意検討したところ、当接部をアーム部の先端から前方又は後方に延びた構造とし、当該当接部が装着者のモミアゲ部の頬骨弓に支持されるようにすることにより、上記問題点を解決できることを見出し、本発明を完成させるに至った。
【０００９】
本発明は、（１）眼鏡のテンプル部に取り付けられた頬骨弓支持モダンであって、テンプル部が挿入された中空部を有する本体部と、該本体部から上方又は下方に分岐して後方に延びる頭支持部と、本体部から下方に延びるアーム部と、該アーム部の先端から前方又は後方に延びる当接部と、を備え、アーム部が弾性体からなり、装着者が眼鏡を装着した状態で、当接部が該装着者の頬骨弓に支持されるようになっている頬骨弓支持モダンに存する。
【００１０】
本発明は、（２）本体部の後部及び頭支持部が、装着者の頭部に沿うように内側に向けて湾曲している上記（１）記載の頬骨弓支持モダンに存する。
【００１１】
本発明は、（３）本体部の前部を水平に配置した状態で、当接部のアーム部に連結されていない非連結端側が、アーム部に連結されている連結端側よりも側面視で下側となるように傾斜している上記（１）又は（２）に記載の頬骨弓支持モダンに存する。
【００１２】
本発明は、（４）本体部の前部を水平に配置した状態で、本体部の後部及び頭支持部が側面視で斜め下方に延びている上記（１）〜（３）のいずれか１つに記載の頬骨弓支持モダンに存する。
【００１３】
本発明は、（５）アーム部が、本体部の前部から内側の斜め下方に向けて取り付けられ、且つ、外側に向けて湾曲しており、該アーム部の一部が、頬骨弓の上方の側頭部に当接されるようになっている上記（１）〜（４）のいずれか１つに記載の頬骨弓支持モダンに存する。
【００１４】
本発明は、（６）当接部には、樹脂キャップが圧入により挿嵌されている上記（１）〜（５）のいずれか１つに記載の頬骨弓支持モダンに存する。
【００１５】
本発明は、（７）樹脂キャップが斜切部と円筒部とからなる斜切円筒状であり、円筒部に対して、斜切部が最大母線側に屈曲しており、斜切部及び円筒部に連通する貫通孔が直線状となっている上記（６）記載の頬骨弓支持モダンに存する。
【００１６】
本発明は、（８）一対のレンズを有するフロント部と、該フロント部の両側に、丁番を介して取り付けられたテンプル部と、該テンプル部に取り付けられた上記（１）〜（７）のいずれか１つに記載の頬骨弓支持モダンと、を備える眼鏡に存する。
【発明の効果】
【００１７】
本発明の頬骨弓支持モダンにおいては、その当接部を、装着者の頬骨弓が下から支持することにより、頬骨弓が眼鏡の重量を十分に負担することができるため、鼻パッドの有無に関わらず眼鏡全体を支持することが可能となる。このとき、アーム部が弾性を有する弾性体からなるものであるので、頬骨弓の位置や形状に個人差があっても、当接部の位置を対応させることで、確実に、頬骨弓が当接部を支持することが可能となる。
また、頬骨弓支持モダンにおいては、当接部が前方又は後方に延びた構造となっているため、その一部が頬骨弓の上方の側頭部に当接されることになる。これにより、当該当接部が側頭部に接触する面積が大きくなるため、眼鏡の重量負荷及び両側のテンプル部が頭部を挟む際の押圧力、を分散させることができる（分散効果）。その結果、側頭部が痛くなることを軽減できる。
【００１８】
本発明の頬骨弓支持モダンにおいては、上述したように当接部が装着者の頬骨弓に支持されると共に当該頬骨弓の上方の側頭部に当接され、本体部の後部及び頭支持部が頭部の後側に当接支持される。このように、頬骨弓支持モダンにおいては、装着者の頭部に少なくとも３箇所で支持され、且つ、その何れもが横方向に延びる面で当接されるので、眼鏡のフィット感が優れるものとなる。
【００１９】
本発明の頬骨弓支持モダンにおいては、本体部の後部及び頭支持部を、装着者の頭部に沿うように内側に向けて湾曲させることにより、眼鏡のフィット感をより向上させることができる。
【００２０】
本発明の頬骨弓支持モダンにおいては、本体部の前部を水平に配置した状態で、当接部の当接部のアーム部に連結されていない非連結端側を、当接部のアーム部に連結されている連結端側よりも側面視で下側となるように傾斜させることにより、傾斜させていない場合（水平方向）と比較して、眼鏡の重量を十分に負担することが可能となる。また、当接部の先端を頬骨弓に載せ易いという利点もある。
また、本体部の前部を水平に配置した状態で、本体部の後部及び頭支持部を、側面視で斜め下方に延びた構造とすることにより、本体部の後部及び頭支持部への眼鏡の重量負荷を比較的大きくすることができる。これにより、当接部への眼鏡の重量負荷をより軽減することができる。
【００２１】
本発明の頬骨弓支持モダンにおいては、アーム部が、本体部の前部から内側の斜め下方に向けて取り付けられ、且つ、外側に向けて湾曲しているので、アーム部の一部も、頬骨弓の上方の側頭部に当接されるようになっている。これにより、頬骨弓支持モダンが頭部に対して当接される面積が更に増えるので、上述した分散効果がより発揮される。
また、眼鏡のフィット感をより一層向上させることができる。
【００２２】
本発明の頬骨弓支持モダンにおいては、当接部に、樹脂キャップが圧入により挿嵌されている場合、柔軟性に優れる樹脂キャップが側頭部に当接されることになるので、側頭部が痛くなることをより軽減することができ、また、フィット感も更に向上する。
また、樹脂キャップの厚み分だけ、側頭部に当接される際の押圧力が向上するため、眼鏡がよりずれ難くなる。
このとき、樹脂キャップの斜切部が最大母線側に屈曲している場合、装着者の頬骨弓が、樹脂キャップを介して当接部をより確実に支持することができる。なお、斜切部及び円筒部に連通する貫通孔を直線状とすることにより、当接部に挿嵌させ易い。
【００２３】
本発明の眼鏡においては、上述した頬骨弓支持モダンを備えるので、装着者の頭部にフィットさせることができると共に、鼻パッドの有無に関わらず眼鏡全体を支持することができる。
【図面の簡単な説明】
【００２４】
【図１】図１の（ａ）は、本発明に係る頬骨弓支持モダンの一実施形態を示す側面図であり、（ｂ）は、（ａ）の上面図である。
【図２】図２は、本実施形態に係る頬骨弓支持モダンを用いた眼鏡を装着した状態の顔と眼鏡との位置関係を説明するための側面図である。
【図３】図３の（ａ）は、本実施形態に係る頬骨弓支持モダンの本体部、頭支持部、アーム部及び当接部を示す側面図であり、（ｂ）は、（ａ）の上面図であり、（ｃ）は、（ａ）のＹ矢視図である。
【図４】図４の（ａ）は、本実施形態に係る頬骨弓支持モダンの樹脂キャップを示す側面図であり、（ｂ）は、（ａ）の上面図である。
【図５】図５は、本発明に係る眼鏡の一実施形態を示す上面図である。
【図６】図６は、他の第１実施形態に係る頬骨弓支持モダンの本体部、頭支持部、アーム部及び当接部を示す側面図である。
【図７】図７は、他の第２実施形態に係る頬骨弓支持モダンの本体部、頭支持部、アーム部及び当接部を示す側面図である。
【図８】図８は、他の第３実施形態に係る頬骨弓支持モダンの本体部、頭支持部、アーム部及び当接部を示す側面図である。
【図９】図９の（ａ）は、他の第４実施形態に係る頬骨弓支持モダンの本体部、頭支持部、アーム部及び当接部を示す側面図であり、（ｂ）は、他の第５実施形態に係る頬骨弓支持モダンの本体部、頭支持部、アーム部及び当接部を示す側面図である。
【図１０】図１０の（ａ）は、他の第６実施形態に係る頬骨弓支持モダンの本体部、頭支持部、アーム部及び当接部を示す側面図であり、（ｂ）は、他の第７実施形態に係る頬骨弓支持モダンの本体部、頭支持部、アーム部及び当接部を示す側面図であり、（ｃ）は、他の第８実施形態に係る頬骨弓支持モダンの本体部、頭支持部、アーム部及び当接部を示す側面図である。
【発明を実施するための形態】
【００２５】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２６】
本発明に係る頬骨弓支持モダンは、眼鏡のテンプル部に取り付けて用いられる。
また、頬骨弓支持モダンは、当該テンプル部に対して着脱自在となっている。このため、嗜好に合わせてテンプル部やフロント部のデザインを変更することが可能となっている。
【００２７】
図１の（ａ）は、本発明に係る頬骨弓支持モダンの一実施形態を示す側面図であり、（ｂ）は、（ａ）の上面図である。
図１の（ａ）及び（ｂ）に示すように、本実施形態に係る頬骨弓支持モダン１０は、本体部１と、該本体部１から上方に分岐した頭支持部２と、本体部１から下方に延びるアーム部５１と、該アーム部５１の先端から前方に延びる当接部５２と、該当接部５２に挿嵌された樹脂キャップ４とを備える。
【００２８】
頬骨弓支持モダン１０においては、本体部１、頭支持部２、アーム部５１及び当接部５２が一体となっている。
ここで、本体部１、頭支持部２、アーム部５１及び当接部５２は、樹脂又は金属からなる。
かかる樹脂としては、熱可塑性樹脂や熱硬化性樹脂が挙げられ、金属としては、ステンレス、チタン合金等が挙げられる。
【００２９】
図２は、本実施形態に係る頬骨弓支持モダンを用いた眼鏡を装着した状態の顔と眼鏡との位置関係を説明するための側面図である。なお、眼鏡のフロント部等の記載は省略している。
図２に示すように、頬骨弓支持モダン１０においては、装着者が当該頬骨弓支持モダン１０を備える眼鏡を装着した状態で、頬骨弓支持モダン１０の当接部５２が装着者のモミアゲ部の頬骨弓Ｚに支持され、且つ、頬骨弓Ｚの上方の側頭部に当接されるようになっている。これにより、当接部５２は、装着者の頬骨弓Ｚにより下から支持されることになるので、頬骨弓Ｚが眼鏡の重量を十分に負担することが可能となる。したがって、頬骨弓支持モダン１０を備える眼鏡は、鼻パッドの有無を問わない。
また、頬骨弓支持モダン１０においては、後述する本体部１の後部１ｂ及び頭支持部２がそれぞれ頭部の後方（後頭部）に当接され、且つ、支持されるようになっている。
【００３０】
このように、頬骨弓支持モダン１０においては、当接部５２が装着者の頬骨弓Ｚに支持されると共に当該頬骨弓Ｚの上方の側頭部に当接され、本体部１の後部１ｂ及び頭支持部２が頭部の後側に当接支持されるようになっている。すなわち、装着者の頭部に少なくとも３箇所で当接支持されるので、眼鏡のフィット感が極めて優れるものとなる。
【００３１】
図３の（ａ）は、本実施形態に係る頬骨弓支持モダンの本体部、頭支持部、アーム部及び当接部を示す側面図であり、（ｂ）は、（ａ）の上面図であり、（ｃ）は、（ａ）のＹ矢視図である。
図３の（ａ）に示すように、本体部１は、棒状であり、連続する前部１ａ及び後部１ｂからなる。
ここで、本明細書において、「前」とは、装着者の顔側（図２でいう紙面左側）を意味し、「後」は、装着者の後頭部側（図２でいう紙面右側）を意味する。したがって、前部１ａは、本体部１の顔側の部分であり、後部１ｂは、本体部１の後頭部側の部分である。
また、「内側」とは、頬骨弓支持モダン１０に対して、装着者の頭部がある側を意味する。
【００３２】
本体部１においては、前部１ａと後部１ｂとは、それらが連絡する連結部Ａで屈曲している。具体的には、前部１ａは前後方向に延びており、後部１ｂは前部１ａ後端の連絡部Ａから斜め下の後方に向けて延びた構造となっている。
また、本体部１は、図示しないテンプル部を挿入するための中空部１ｃを有する。なお、中空部１ｃは、テンプル部の形状に対応した形状となっている。また、中空部１ｃは、前部１ａの前端から、後部１ｂの中腹部まで連続して設けられている。
頬骨弓支持モダン１０は、例えば、フロント部に水平面で回動自在に設けられたテンプル部を、本体部１の中空部１ｃに挿入することにより取り付けられる。
【００３３】
本体部１において、前部１ａの軸方向と後部１ｂの軸方向とがなす角度θ１（図３の（ａ）参照）は、０°より大きく９０°未満であることが好ましく、２０°〜６０°であることがより好ましい。この場合、髪の毛の抵抗による眼鏡のずれ軽減がより発揮され、眼鏡のフィット感もより優れるものとなる。
【００３４】
本体部１においては、本体部１の後部１ｂに、当該後部１ｂから上方に分岐して後方に延びる棒状の頭支持部２が設けられている。すなわち、頬骨弓支持モダン１０は、その後ろ側が側面視で横Ｖ字状となっている。なお、頭支持部２は、本体部１の後部１ｂの上方に配置される。このため、例えば、頭支持部２の外側及び内側を通る髪の毛を、共に本体部１の後部１ｂで抑えつけることにより、頭支持部２を髪の毛で挟み込むことができる。また、本体部１の後部１ｂと頭支持部２との間の部分に髪の毛の根元をすくい集めることができるので、その部分に髪の毛の抵抗力が働き、頬骨弓支持モダン１０がずれることをより軽減することができる。
【００３５】
頬骨弓支持モダン１０においては、本体部１の前部１ａを水平に配置した状態で、本体部１の後部１ｂ及び頭支持部２が共に、側面視で斜め下方に延びた構造となっている。これにより、本体部１の後部１ｂ及び頭支持部２への眼鏡の重量負荷を比較的大きくすることができる。一方で、前方にある当接部５２への眼鏡の重量負荷を軽減することができる。
【００３６】
図３の（ｂ）に示すように、頬骨弓支持モダン１０において、本体部１の後部１ｂ及び頭支持部２は、装着者の頭部に沿うように内側に向けて湾曲している。なお、この湾曲した部分の曲率半径Ｒ１は、２０ｍｍ〜１００ｍｍであることが好ましい。これにより、眼鏡のフィット感をより向上させることができる。
また、本体部１の後部１ｂと、頭支持部２とは同程度の曲率半径で湾曲していることがより好ましい。
【００３７】
図３の（ｃ）に示すように、本体部１においては、本体部１の前部１ａの前端から内側の斜め下方に向けてアーム部５１が取り付けられている。
そして、アーム部５１は、外側に向けて湾曲しており、該アーム部５１の一部が、頬骨弓の上方の側頭部に当接されるようになっている（図２参照）。なお、アーム部５１の湾曲した部分の曲率半径Ｒ２は５ｍｍ〜２０ｍｍであることが好ましい。
これにより、頬骨弓支持モダン１０においては、当接部５２、本体部１の後部１ｂ及び頭支持部２による３箇所での当接支持に加え、アーム部５１も頭部に対して当接されることになる。その結果、装着者の頭部に当接される頬骨弓支持モダン１０の面積が更に増えるので、上述した分散効果をより発揮することができる。また、眼鏡のフィット感もより向上させることができる。
【００３８】
上述したように、本体部１、頭支持部２、アーム部５１及び当接部５２は、樹脂又は金属からなるが、その中でも、アーム部５１は、弾性を有する弾性体からなることが好ましい。この場合、頬骨弓の位置や形状に個人差があっても、当接部５２の位置を対応させることで、確実に、頬骨弓が当接部５２を支持することが可能となる。
また、アーム部５１は、熱可塑性樹脂からなるものであることが好ましい。かかる熱可塑性樹脂としては、ポリエチレン又はポリプロピレン等のポリオレフィン、ポリ塩化ビニル、ポリスチレン、ポリ酢酸ビニル、ポリウレタン、テフロン（登録商標）、ＡＢＳ樹脂、ＡＳ樹脂、アクリル樹脂、ポリアミド、ポリアセタール、ポリカーボネート、ポリエステル、変性ポリフェニレンエーテル、ポリフェニレンスルファイド、ポリサルフォン、ポリエーテルサルフォン、非晶ポリアリレート、ポリエーテルエーテルケトン、ポリイミド、ポリアミドイミド、セルロースプロピオネート、セルロースアセテート等が挙げられる。アーム部５１が熱可塑性樹脂であると、加熱して軟化させることにより、アーム部５１の向きや曲率半径を容易に変更することができる。
【００３９】
当接部５２は、棒状であり、アーム部５１の先端から前方に延びた構造となっている。このため、当接部５２の一部は、頬骨弓の上方の側頭部に当接されることになる。これにより、当接部５２が側頭部に接触する面積が大きくなるため、上述した分散効果をより発揮することができる。
【００４０】
ここで、当接部５２は、本体部１の前部１ａを水平に配置した状態で、アーム部５１に連結されていない端である非連結端側（前側）が、アーム部５１に連結された端である連結端側（後側）よりも側面視で下側となるように傾斜している。これにより、傾斜させていない場合（水平方向）と比較して、眼鏡の重量を十分に負担することが可能となる。また、当接部の先端を頬骨弓に載せ易いという利点もある。
頬骨弓支持モダン１０において、側面視で、本体部１の前部１ａの軸方向と当接部５２の長手方向とがなす角度θ２（図３の（ａ）参照）は、１０°〜３０°であることが好ましい。この場合、後述する樹脂キャップ４の挿し込み量を変えることで頬骨弓に対する樹脂キャップ４の高さ位置を調整することも可能となる。
【００４１】
また、当接部５２は、非連結端側が、連結端側よりも上面視で内側となるように傾斜している。これにより、当接部５２を装着者の側頭部に当接させ易くなるという利点がある。
頬骨弓支持モダン１０において、上面視で、本体部１の前部１ａと当接部５２の長手方向とがなす角度θ３（図３の（ｂ）参照）は、２°〜１０°であることが好ましい。この場合、後述する樹脂キャップ４の挿し込み量を変えることで装着者の側頭部に対する樹脂キャップの内側位置（押圧力）を調整することも可能となる。
【００４２】
図１に戻り、頬骨弓支持モダン１０においては、当接部５２に樹脂キャップ４が圧入により挿嵌されている。
かかる樹脂キャップ４は、例えば、エラストマー等の可撓性のある材料が好ましく採用される。
エラストマーとしては、例えば、熱硬化性のシリコーン系や、熱可塑性のスチレン系、ナイロン系等が挙げられる。
この場合、柔軟性に優れる樹脂キャップ４が側頭部に当接されることになるので、側頭部が痛くなることをより軽減することができ、また、フィット感も向上させることができる。また、樹脂キャップ４の厚み分だけ、側頭部に当接される際の押圧力が向上するため、眼鏡がよりずれ難くなる。
【００４３】
図４は、本実施形態に係る頬骨弓支持モダンの樹脂キャップを示す側面図であり、（ｂ）は、（ａ）の上面図である。
図４の（ａ）に示すように、樹脂キャップ４は、連続する斜切部４ａと円筒部４ｂとを備え、斜切部４ａ及び円筒部４ｂに貫通孔４ｃが設けられた斜切円筒状となっている。
また、図４の（ｂ）に示すように、樹脂キャップ４は、斜切部４ａが、円筒部４ｂに対して、柱面のうちの長さが最大となる母線がある側（最大母線側）に屈曲している。
【００４４】
樹脂キャップ４において、貫通孔４ｃは、斜切部４ａ及び円筒部４ｂが屈曲していることとは関係なく、斜切部４ａ及び円筒部４ｂに連通する直線状となっている。このため、樹脂キャップ４を当接部に挿嵌させ易いという利点がある。
【００４５】
樹脂キャップ４は、貫通孔４ｃに当接部５２を挿入して嵌め込むことにより、当接部５２に取り付けられる。すなわち、樹脂キャップ４は、当接部５２に対して、圧入により挿嵌されている。このため、斜切部４ａの向きを調整することが可能となっている。
例えば、頬骨弓支持モダン１０の当接部５２が頬骨弓に当接される際の押圧力が不十分な場合は、斜切部４ａの先端が内側（装着者の頬骨弓側）に向くように回動させればよく、当接部５２が頬骨弓に当接される際の押圧力が強い場合は、斜切部４ａの先端が外側に向くように回転させればよい。
【００４６】
次に、本実施形態に係る頬骨弓支持モダン１０を備える眼鏡について説明する。
図５は、本発明に係る眼鏡の一実施形態を示す上面図である。
図５に示すように、本実施形態に係る眼鏡２０は、左右一対のレンズＬを有するフロント部Ｆと、フロント部Ｆの両側に、丁番Ｈを介して取り付けられた後方に延びるテンプル部Ｔと、各テンプル部Ｔに取り付けられた頬骨弓支持モダン１０とを備える。
【００４７】
フロント部Ｆは、左右一対のレンズＬと、両レンズＬを架橋するブリッジとを有する。なお、この場合、鼻パッドは有していない。
フロント部Ｆは、その両側に、丁番Ｈを介してテンプル部Ｔが折畳み可能となるように取付けられている。
各テンプル部Ｔは、棒状であり、フロント部Ｆの一端と、頬骨弓支持モダン１０とを連結している。
【００４８】
眼鏡２０は、上述した頬骨弓支持モダン１０を備えるので、上述したように、装着者の頭部に少なくとも３箇所で当接支持されることになり、装着者の頭部にフィットさせることが可能となる。
また、頬骨弓支持モダン１０の当接部が装着者の頬骨弓により下から支持されるので、頬骨弓が眼鏡の重量を十分に負担することができる。その結果、鼻パッドの有無に関わらず眼鏡全体を支持することが可能となる。
【００４９】
以上、本発明の好適な実施形態について説明したが、本発明は上記実施形態に限定されるものではない。
【００５０】
例えば、本実施形態に係る頬骨弓支持モダン１０においては、本体部１の前部１ａ及び後部１ｂが連絡する連結部Ａで屈曲しているが、屈曲していなくてもよい。
図６は、他の第１実施形態に係る頬骨弓支持モダンの本体部、頭支持部、アーム部及び当接部を示す側面図である。
図６に示すように、他の第１実施形態に係る頬骨弓支持モダンにおいては、本体部１１の前部１１ａ及び後部１１ｂが直線状に前後方向に延びており、前部１１ａの前端から、後部１１ｂの中腹部まで中空部１１ｃが設けられている。
また、棒状の頭支持部１２は、後部１１ｂから上方に分岐して後方に延びており、且つ、側面視で斜め上方に延びた構造となっている。
なお、アーム部５１及び当接部５２の構成は、上述した本実施形態に係る頬骨弓支持モダンのアーム部５１及び当接部５２と同じであるので説明を省略する。
【００５１】
本実施形態に係る頬骨弓支持モダン１０においては、本体部１の前部１ａの前端から内側の斜め下方に向けてアーム部５１が取り付けられているが、アーム部５１の取り付け位置は、前部１ａの前端に限定されない。
図７は、他の第２実施形態に係る頬骨弓支持モダンの本体部、頭支持部、アーム部及び当接部を示す側面図である。
図７に示すように、他の第２実施形態に係る頬骨弓支持モダンにおいては、本体部２１の前部２１ａ及び後部２１ｂが直線状に前後方向に延びており、前部２１ａの前端から、後部２１ｂの中腹部まで中空部２１ｃが設けられている。
また、棒状の頭支持部１２は、後部２１ｂから上方に分岐して後方に延びており、且つ、側面視で斜め上方に延びた構造となっている。
そして、アーム部５１は、前部２１ａの中腹部から内側の斜め下方に向けて取り付けられている。
なお、アーム部５１及び当接部５２の構成は、上述した本実施形態に係る頬骨弓支持モダンのアーム部５１及び当接部５２と同じであるので説明を省略する。
【００５２】
本実施形態に係る頬骨弓支持モダン１０においては、頭支持部２が、本体部１から上方に分岐して後方に延びた構造となっているが、分岐は上方に限定されない。
図８は、他の第３実施形態に係る頬骨弓支持モダンの本体部、頭支持部、アーム部及び当接部を示す側面図である。
図８に示すように、他の第３実施形態に係る頬骨弓支持モダンにおいては、本体部３１の後部３１ｂに、当該後部３１ｂから下方に分岐して後方に延びる棒状の頭支持部３２が設けられている。すなわち、頭支持部３２は、本体部３１の後部３１ｂの下方に配置される。このため、例えば、本体部３１の後部３１ｂの外側及び内側を通る髪の毛を、共に頭支持部３２で抑えつけることにより、本体部３１の後部３１ｂを髪の毛で挟み込むことができる。
なお、アーム部５１及び当接部５２の構成は、上述した本実施形態に係る頬骨弓支持モダンのアーム部５１及び当接部５２と同じであるので説明を省略する。
【００５３】
本実施形態に係る頬骨弓支持モダン１０においては、当接部５２が、アーム部５１の先端から前方に延びた構造となっているが、アーム部の先端から後方に延びた構造であってもよい。
図９の（ａ）は、他の第４実施形態に係る頬骨弓支持モダンの本体部、頭支持部、アーム部及び当接部を示す側面図であり、（ｂ）は、他の第５実施形態に係る頬骨弓支持モダンの本体部、頭支持部、アーム部及び当接部を示す側面図である。
図９の（ａ）及び（ｂ）に示すように、他の第４実施形態に係る頬骨弓支持モダン及び他の第５実施形態に係る頬骨弓支持モダンにおいては、当接部５４が、アーム部５３の先端から後方に延びた構造となっている。このため、当接部５４の一部は、頬骨弓の上方の側頭部に当接されることになる。これにより、当接部５４が側頭部に接触する面積が大きくなるため、上述した分散効果をより発揮することができる。
【００５４】
また、当接部５４は、本体部１，１１の前部を水平に配置した状態で、非連結端側（後側）が、連結端側（前側）よりも側面視で下側となるように傾斜している。これにより、傾斜させていない場合（水平方向）と比較して、眼鏡の重量を十分に負担することが可能となる。また、当接部の先端を頬骨弓に載せ易いという利点もある。
なお、他の第４実施形態に係る頬骨弓支持モダンは、当接部５４がアーム部５３の先端から後方に延びていること以外は、上述した本実施形態に係る頬骨弓支持モダンと同じであり、他の第５実施形態に係る頬骨弓支持モダンは、当接部５４がアーム部５３の先端から後方に延びていること以外は、上述した他の第１実施形態に係る頬骨弓支持モダンと同じであるのでその他の説明を省略する。
【００５５】
本実施形態に係る頬骨弓支持モダン１０は、本体部１から下方に延びるアーム部５１と、該アーム部５１の先端から前方に延びる当接部５２とを備えているが、アーム部及び当接部は、複数備えていてもよい。
図１０の（ａ）は、他の第６実施形態に係る頬骨弓支持モダンの本体部、頭支持部、アーム部及び当接部を示す側面図であり、（ｂ）は、他の第７実施形態に係る頬骨弓支持モダンの本体部、頭支持部、アーム部及び当接部を示す側面図であり、（ｃ）は、他の第８実施形態に係る頬骨弓支持モダンの本体部、頭支持部、アーム部及び当接部を示す側面図である。
図１０の（ａ）及び（ｂ）に示すように、他の第６実施形態に係る頬骨弓支持モダン及び他の第７実施形態に係る頬骨弓支持モダンにおいては、２つのアーム部５３が本体部１，１１の前後に設けられており、各アーム部５３の先端から後方に延びる当接部５４が設けられている。
また、図１０の（ｃ）に示すように、他の第８実施形態に係る頬骨弓支持モダンにおいては、２つのアーム部５１が本体部２１の前後に設けられており、各アーム部５１の先端から前方に延びる当接部５２が設けられている。
このため、これらの頬骨弓支持モダンにおいては、装着者が当該頬骨弓支持モダンを備える眼鏡を装着した状態で、頬骨弓支持モダンの当接部５２，５４が２箇所で装着者のモミアゲ部の頬骨弓Ｚに支持され、且つ、頬骨弓Ｚの上方の側頭部に２箇所で当接されるようになっている。これにより、２つの当接部５２，５４は、装着者の頬骨弓Ｚにより下から支持されることになるので、頬骨弓Ｚが眼鏡の重量をより十分に負担することが可能となる。
なお、他の第６実施形態に係る頬骨弓支持モダンは、当接部５４及びアーム部５３を複数有すること以外は、上述した他の第４実施形態に係る頬骨弓支持モダンと同じであり、他の第７実施形態に係る頬骨弓支持モダンは、当接部５４及びアーム部５３を複数有すること以外は、上述した他の第５実施形態に係る頬骨弓支持モダンと同じであり、他の第８実施形態に係る頬骨弓支持モダンは、当接部５２及びアーム部５１を複数有すること以外は、上述した他の第２実施形態に係る頬骨弓支持モダンと同じであるのでその他の説明を省略する。
【００５６】
本実施形態に係る頬骨弓支持モダン１０においては、本体部１の後部１ｂ及び頭支持部２が装着者の頭部に沿うように内側に向けて湾曲しているが、必ずしも必須ではない。
【００５７】
本実施形態に係る頬骨弓支持モダン１０においては、アーム部５１が本体部１の前部１ａから内側の斜め下方に向けて取り付けられ、且つ、外側に向けて湾曲した構造となっているが、必ずしもこれに限定されない。
【００５８】
本実施形態に係る頬骨弓支持モダン１０においては、本体部１、頭支持部２及び当接部５２が棒状となっているが板状であってもよい。なお、棒状や板状は、直線状であってもよく、屈曲していてもよく、曲線状であってもよい。
【００５９】
本実施形態に係る頬骨弓支持モダン１０においては、当接部５２に樹脂キャップ４が挿嵌されているが、樹脂キャップ４は、必ずしも必須ではない。また、樹脂キャップ４の形状も斜切円筒状に限定されない。
【００６０】
本実施形態に係る眼鏡２０においては、鼻パッドを有していないが、フロント部Ｆに鼻パッドを連結させることも可能である。
【００６１】
本実施形態に係る眼鏡２０において、レンズＬは、フレームに取り付けられたものであってもよく、フレームのみでレンズを備えないものであってもよい。
【００６２】
本実施形態に係る眼鏡２０において、テンプル部は、棒状となっているが板状であってもよい。この場合、頬骨弓支持モダンの中空部１ｃの形状は、板状のテンプル部に対応した板状となる。なお、棒状や板状は、直線状であってもよく、屈曲していてもよく、曲線状であってもよい。
【産業上の利用可能性】
【００６３】
本発明の頬骨弓支持モダンは、眼鏡のテンプル部に取り付けて用いられる。そして、頬骨弓支持モダンが取り付けられた眼鏡は、近視用、老眼用、乱視用、ファッション用等の眼鏡として用いることができる。
本発明の頬骨弓支持モダン及びそれを備える眼鏡によれば、装着者の頭部にフィットさせることができると共に、鼻パッドの有無に関わらず眼鏡全体を支持することができる
【符号の説明】
【００６４】
１，１１，２１，３１・・・本体部
１０・・・頬骨弓支持モダン
１２，２，３２・・・頭支持部
１ａ，１１ａ，２１ａ，３１ａ・・・前部
１ｂ，１１ｂ，２１ｂ，３１ｂ・・・後部
１ｃ，１１ｃ，２１ｃ，３１ｃ・・・中空部
２０・・・眼鏡     
４・・・樹脂キャップ
４ａ・・・斜切部
４ｂ・・・円筒部
４ｃ・・・貫通孔
５１，５３・・・アーム部
５２，５４・・・当接部
Ａ・・・連結部
Ｆ・・・フロント部
Ｈ・・・丁番
Ｌ・・・レンズ
Ｒ１，Ｒ２・・・曲率半径
Ｔ・・・テンプル部
Ｚ・・・頬骨弓
【図１】
2019207294.tif 000003
【図２】
2019207294.tif 000004
【図３】
2019207294.tif 000005
【図４】
2019207294.tif 000006
【図５】
2019207294.tif 000007
【図６】
2019207294.tif 000008
【図７】
2019207294.tif 000009
【図８】
2019207294.tif 000010
【図９】
2019207294.tif 000011
【図１０】
2019207294.tif 000012